(57)【要約】      （修正有）【課題】受精卵に、より高い効率にて所定の処理を行うことができる卵処理システムを提供する。【解決手段】卵処理システムたる遺伝子注入装置１は、魚卵を採取する通路と、魚卵を不要物を含む飼育水から分離する不要物分離部３と、不要物分離部３を通過し不要物を除去された状態の魚卵を振動によって順次搬送する搬送装置と、搬送装置から魚卵を加工する加工用水槽とこの加工用水槽内の魚卵に所定の加工を順次施す加工装置たる整列搬送部６並びに遺伝子注入部５とを具備することを特徴とする。【選択図】図１
2019013198.tif 000002
【特許請求の範囲】
【請求項１】
魚卵を採取する通路と、
前記魚卵を不要物を含む飼育水から分離する不要物分離部と、
前記不要物分離部を通過し不要物を除去された状態の前記魚卵を順次搬送する搬送装置と、
前記搬送装置から搬送された魚卵を加工する加工用水槽と
この加工用水槽内の魚卵に所定の加工を施す加工装置と
を具備することを特徴とする卵処理システム。
【請求項２】
前記不要物分離部が、魚卵よりも大きな不要物を除去すべく魚卵を通過させ得る第一の網装置と、魚卵よりも小さな不要物を除去すべく魚卵を支持し且つ振動搬送する第二の網装置とを有している請求項１記載の卵処理システム。
【請求項３】
前記第二の網装置上で振動搬送される魚卵を搬送方向へ付勢すべく浄水を噴射する浄水噴射手段を備えた請求項２記載の卵処理システム。
【請求項４】
前記加工用水槽が、加工前の魚卵を収容する加工前領域と、所定の加工処理が施された魚卵を収容するための加工後領域とに分別されている請求項１〜３の何れかに記載の卵処理システム。
【発明の詳細な説明】
【技術分野】
【０００１】
本発明は、主に魚卵に所定の処理を施すための卵処理システムに関するものである。
【背景技術】
【０００２】
受精卵に遺伝子を注入することにより組換えタンパク質などの目的物質を遺伝子工学技術を用いて生産する技術分野において、ゼブラフィッシュなど小型魚卵の利用が有益であることは公知である。例えば、前記ゼブラフィッシュを利用して目的物質を得ようとする場合、直径が０．９ｍｍ〜１．３ｍｍという球状の受精卵への精密な遺伝子溶液（ベクター）の注入が必要であるが、受精卵にダメージを与えにくいように、先端が数〜十数μｍの直径の極細な針を用いて、受精卵の卵膜を貫通して胚の内部に針先を差し込み、遺伝子溶液を注入するマイクロインジェクション技術が知られている。この分野では、手作業や手動操作で手ぶれを防ぐマニュピレータなどを用いてのマイクロインジェクション作業が一般的な方法となっているが、実用的な目的物質の量の取得のために必要なる数量の受精卵を処理することは困難であり、注入作業も精度と安定性が限られたものとなっている、そこで、下記先行技術にあるような自動化を目指す試みが種々おこなわれている。
【先行技術文献】
【特許文献】
【０００３】
【特許文献１】特許５６４７００５号公報
【特許文献２】特許５８２３１１２号公報
【特許文献３】特許５７８７４３２号公報
【発明の概要】
【発明が解決しようとする課題】
【０００４】
しかしながら、上述の受精卵は、例えば約３０分毎といったように、頻繁に細胞分裂が進むため、迅速に遺伝子を導入し目的の受精卵を得るためには、受精卵の処理を効率がより高い状態で行うことが目的とされる。すなわち、上記特許文献に挙げた従来の技術は、所定の容器の使用等に処理の速度が拘束されてしまうという、所謂バッチ処理を想定してなされた技術であるため、受精卵が加工に適した状態で常に処理が行えるというものではない。また勿論、処理後の受精卵を効率良く回収するということも重要な要素であり、上記特許文献よりも効率良く受精卵を回収する技術も求められているのが現状である。
【０００５】
具体的には、受精卵の処理をスムーズに行えるよう、受精卵に所定の処理を行い得るように、より効率良く搬送し、処理することが肝要となる。
【０００６】
本発明は、このような点に着目してなされたものであって、主たる目的は、上記受精卵に、より高い効率にて所定の処理を行うことができる卵処理システムを提供することにある。
【課題を解決するための手段】
【０００７】
本発明は以上のような問題点を鑑み、次のような手段を講じたものである。
【０００８】
すなわち、本発明の卵処理システムは、魚卵を採取する通路と、前記魚卵を不要物を含む飼育水から分離する不要物分離部と、前記不要物分離部を通過し不要物を除去された状態の前記魚卵を順次搬送する搬送装置と、前記搬送装置から魚卵を加工する加工用水槽とこの加工用水槽内の魚卵に所定の加工を施す加工装置とを具備することを特徴とする。
【０００９】
このようなものであれば、所定の種をなす魚から採取し得た受精卵に、より高い効率にて所定の処理を行うことができる卵処理システムを提供することができる。
【００１０】
また加工後の受精卵を容易に回収し得る態様として、加工後の魚卵を回収する回収装置を有している態様を挙げることができる。
【００１１】
そして、高い効率にて魚卵を処理し得るための構成として、不要物分離部を、魚卵よりも大きな物を除去すべく魚卵を通過させ得る第一の網装置と、魚卵よりも小さな物を除去すべく魚卵を支持し且つ振動搬送する第二の網装置とを有している態様を挙げることができる。
【００１２】
また、加工装置の作動効率を更に向上させるためには、後工程での菌類、微生物の繁殖を防止するため、第二の網装置を通過した飼育水を加工装置には導入させない構成とすることが望ましい。これにより、加工装置の作動効率をより向上させることができる。
【００１３】
そして、不要物分離部を通過した魚卵を第二の網装置上で好適に搬送できるようにするためには、魚卵を搬送方向へ付勢すべく浄水を噴射する浄水噴射手段を備えた構成とすることが望ましい。これにより、魚卵の搬送をより高い効率にて行うことができる。
【００１４】
更に、魚卵への処理をより高い効率にて行い得るようにするためには、加工用水槽を、加工前の魚卵を収容する加工前領域と、所定の加工処理が施された魚卵を収容するための加工後領域とに分別されている構成とすることが望ましい。これにより、魚卵への加工を順序よく行うことができる。
【発明の効果】
【００１５】
以上、説明した本発明によれば、受精卵に、より高い効率にて所定の処理を行うことができる卵処理システムを提供することが可能となる。
【図面の簡単な説明】
【００１６】
【図１】本発明の一実施形態に係る機能ブロック図。
【図２】同実施形態に係る全体の構成説明図。
【図３】同実施形態に係る採卵搬送部を示す模式的な構成説明図。
【図４】同実施形態に係る不要物分離部を示す模式的な構成説明図。
【図５】同実施形態に係る遺伝子注入部及び加工用水槽を示す模式的な構成説明図。
【発明を実施するための形態】
【００１７】
以下、本発明の一実施形態を、図面を参照して説明する。
【００１８】
本実施形態に係る卵処理システム或いは魚卵処理装置の一例である遺伝子注入装置１は、飼育水槽Ｂから採取される魚卵ｅである受精卵に対し、速やかに所定の遺伝子を導入するためのものである。そして所定の遺伝子が注入された魚卵ｅはその後、細胞分裂が繰り返されるとともに導入された遺伝子の塩基配列に由来するタンパク質が合成される。そして当該タンパク質はしかるべきタイミングにて採取、抽出、精製され、例えば創薬の研究や量産に利用される。
【００１９】
遺伝子注入装置１は、図１及び図２に示すように、飼育水槽Ｂに連続する採卵搬送部２と、搬送された魚卵ｅを飼育水ｗ並びに排泄物や残餌といった不要物に対して分離する不要物分離部３と、不要物から分離された魚卵ｅを主に振動によって搬送する振動搬送部４と、振動搬送部４により搬送された魚卵ｅを所定の状態に整列させながら搬送する整列搬送部６と、整列搬送部６により搬送されている魚卵ｅに所定の遺伝子を注入する遺伝子注入部５と、所定の遺伝子が注入された魚卵ｅを効率良く採取するための選別回収部７とを有している。また本実施形態では、魚卵ｅに所定の加工を施すための加工装置である遺伝子注入部５並びに整列搬送部６、そして回収装置たる選別回収部７は、加工用水槽８に配される。
【００２０】
また本実施形態では、魚卵ｅの一例として直径１ｍｍ程度の略球形状をなすゼブラフィッシュの卵を利用している。なお魚は脊椎動物であるために遺伝子導入により創薬に利用し得る態様のタンパク質を得やすく、特にゼブラフィッシュは飼育水槽Ｂから効率良く受精卵である魚卵ｅを得やすい種として知られている。
【００２１】
以下、遺伝子注入装置１の各部の構成について説明していく。
【００２２】
採卵搬送部２は、図２及び図３に示すように、例えば複数並列され且つ上下方向に多段に配置された飼育水槽Ｂから効率良く魚卵ｅを採取すべくスロープ状に構成された水樋状の通路である。この採卵搬送部２は、飼育水槽Ｂからは魚卵ｅのみならず、魚を飼育していた飼育水ｗや排泄物、残餌等の不要物も同時に搬送され、一度タンクＴへ収容された後ポンプＰにより上昇させられ、不要物分離部３へと案内され、具体的には魚卵ｅ並びに飼育水ｗが上方から落下され落下エネルギーが付与された状態で不要物分離部３へ案内される。タンクＴは、集配した魚卵ｅ並びに飼育水ｗの一時的なクッション槽としての働きをなすとともに、図示例では内部で例えば螺旋状の水流が発生することにより、滞りなくポンプＰにより給水することができる。また具体的な態様として、タンクＴ内の下限水位検出により、ポンプＰのから送りでの破損・減耗を防止するとともに、上限水位検出により、オーバーフロー検出を行う。オーバーフローが実際に起こった場合には、図示しない飼育水槽Ｂへの配管を介して飼育水ｗを移動させる。なお、飼育水槽Ｂを十分高い位置にレイアウトでき、当該飼育水槽Ｂから魚卵ｅの不要物分離部３への自由落下が可能な場合は、タンクＴ並びにポンプＰを省略してもよい。
【００２３】
不要物分離部３は、図４に具体的に示すように、魚卵ｅを通過させ魚卵ｅよりも大きな不要物ｂｇを採取し排除するための第一の網装置３１と、振動搬送部４に支持されつつ魚卵ｅが通過し得ない網目を有する第二の網装置３２と、この第二の網装置３２にある魚卵ｅに対し浄水ｃｗを噴射する浄水噴射手段３３とを有している。本実施形態では第二の網装置３２を通過若しくは第二の網装置３２への衝突で破砕した飼育水ｗは、例えば魚卵ｅよりも小さく第二の網装置３２を通過した小さな不要物ｓｇに対し更に分離され、飼育水槽Ｂへ再び導入される構成を適用している。また本実施形態では浄水噴射手段３３は、振動搬送部４により魚卵ｅが搬送される方向に沿って浄水ｃｗを魚卵ｅに噴射することにより、魚卵ｅの搬送をより速やかに行うためのものである。すなわち本実施形態では、第二の網装置３２を通過し、細菌、微生物等が混入している可能性がある飼育水ｗを加工用水槽８に配された加工装置には導入させない構成が適用されている。ここで、本実施形態における浄水ｃｗとは、蒸留水や水道水のみならず上記飼育水ｗよりも汚れや不要物ｓｇ、ｂｇが少ない水のことである。
【００２４】
振動搬送部４は、第二の網装置３２に所定の振動を与えることにより、魚卵ｅを加工用水槽８へと案内するためのものである。振動搬送部４によって振動が加えられた魚卵ｅは、加工用水槽８へ向けて速やか且つ効率良く搬送され投入される。
【００２５】
ここで図５に示すように、本実施形態では遺伝子注入部５、整列搬送部６及び選別回収部７は加工用水槽８に設けられている。具体的には、遺伝子注入部５は加工用水槽８の上方に、整列搬送部６及び選別回収部７は加工用水槽８の内部に配されている。また図２及び図５に示すように、加工用水槽８の上端近傍まで水が満たされた状態となっている。
【００２６】
加工用水槽８は、採取された魚卵ｅを入れるためのものであり、魚卵ｅに所定の物質を注入する加工装置である遺伝子注入部５及び整列搬送部６を設けてなるものである。具体的に説明すると、加工用水槽８は、加工前の魚卵ｅを収容すべく設定された加工前領域８１と、所定の加工処理が施された魚卵ｅを収容するための加工後領域８２とを有する。また本実施形態では、少なくとも加工前領域８１内を視認可能とすべく、少なくとも加工前領域８１を透明な材料により構成している。
【００２７】
整列搬送部６は、加工前領域８１に導入された魚卵ｅを遺伝子注入部５により処理が行い易い状態とすべく整列されるためのものである。整列搬送部６は、円盤形状をなし周囲に所定ピッチにて形成された複数の収容凹部たる凹部６３を等間隔に設けた円盤体たる整列盤６１と、この整列盤６１に向かって浄水ｃｗを噴射するための整列用ポンプ６２とを有している。この整列用ポンプ６２による浄水ｃｗにより、加工前領域８１に導入された魚卵ｅがスムーズに整列盤６１へ案内され、凹部６３内に位置決めされる。この整列盤６１が、魚卵ｅを載置し得る載置部に相当する。また本実施形態における整列搬送部６は概略円形状をなす整列盤を適用しているが、魚卵を一個ずつ配列し搬送し得る形状であれば、例えば無限軌道を構成し得るベルト状やチェーン状をなすものであっても良い。
【００２８】
遺伝子注入部５は、整列搬送部６によって搬送される魚卵ｅに所定の遺伝子を注入するためのものであり、魚卵ｅに直接遺伝子を注入する概略針状をなすキャピラリ５１と、このキャピラリ５１に所定量の遺伝子を供給するためのシリンジポンプ５２と、これらキャピラリ５１並びにシリンジポンプ５２の上下方向の位置決めを行うポジショナ５３とを有している。そして上記キャピラリ５１が、魚卵ｅに所定の物質を所定のタイミングで導入し得る管状をなす導入管に相当する。
【００２９】
そして本実施形態では、整列搬送部６から加工後領域８２へ亘って遺伝子が注入された魚卵ｅを効率良く回収するための選別回収部７を有している。
【００３０】
選別回収部７は、加工後の魚卵ｅを回収する回収装置或いは回収槽に相当する。この選別回収部７は、加工後領域８２に収容された回収槽たる回収容器７１と、加工前領域８１における加工後領域８２近傍に設けられ整列盤６１へ向けて浄水ｃｗを噴射する回収用ポンプ７２と、加工装置を構成する遺伝子注入部５に正確に遺伝子を導入され得なかった魚卵ｅを加工用水槽８外へ排出するための排出部７３と、加工用水槽８内において整列盤６１の下半分を覆うように設けられ魚卵ｅを加工前領域８１から加工後領域８２へと案内するためのガイド７５とを有している。そして本実施形態に係る回収容器７１は、加工前領域８１に臨む部分にスリット７４を設けることにより、加工前領域８１から移動した魚卵ｅを効率良く回収容器７１内へ導入することができる。また本実施形態では、ガイド７５の一部を回収容器７１に入り込ませる形状とすることで、魚卵ｅを効率良く回収容器７１へ案内せしめている。
【００３１】
ここで本実施形態では図５に示すように、加工用水槽８へ導入された魚卵ｅがより高い効率にて加工が行われるような構成を適用している。すなわち加工用水槽８における加工前領域８１に導入された魚卵ｅは整列用ポンプ６２から噴射される浄水ｃｗによりスムーズに凹部６３へ案内される。そして凹部６３へ収容された魚卵ｅは整列盤６１の回転によりキャピラリ５１の直下まで順序が異なること無く移動する。ここで加工前領域８１は透明な部材により構成されている。すなわちキャピラリ５１直下まで案内された魚卵ｅは必ず明確に視認された状態となる。そしてキャピラリ５１は個々の魚卵ｅに対し、内部の胚の位置が明確に視認され得る状態で配されるため、当該胚へ正確に遺伝子を注入することができる。ここで、もし遺伝子が正確に注入し得なかったことが視認できた場合、整列盤６１を所定角度回転させた箇所に設けられた排出部７３を通過させ別途回収することができる。これにより、組換えが起こった可能性がある卵が外部へ不要に漏れ出すことが回避されている。併せて、加工後領域８２には高い割合で正確に遺伝子が注入された魚卵ｅが案内される。また更に、キャピラリ５１により遺伝子が注入された魚卵ｅは回収用ポンプ７２から噴射される浄水ｃｗにより確実に凹部６３から離間させられる。そしてこれら魚卵ｅはスムーズに加工後領域８２へ案内され、スリット７４を通過して回収容器７１に収容されることとなる。
【００３２】
以上のように、本実施形態に係る卵処理システムたる遺伝子注入装置１は、魚卵ｅを採取する通路と、魚卵ｅを不要物を含む飼育水ｗから分離する不要物分離部３と、不要物分離部３を通過し不要物を除去された状態の魚卵ｅを振動によって搬送する搬送装置と、搬送装置から魚卵ｅを加工する加工用水槽８とこの加工用水槽８内の魚卵ｅに所定の加工を施す加工装置たる整列搬送部６並びに遺伝子注入部５とを具備することを特徴とする。
【００３３】
斯かる構成により、魚卵ｅを所定の種をなす魚から採取し得た受精卵に対しバッチ処理の如く中断することもなく加工を行い、加工後の魚卵ｅの回収までを効率良く自動化することができる。すなわち本実施形態によれば、より高い効率にて所定の処理を行うことができる卵処理システムが実現される。
【００３４】
また加工後の受精卵である魚卵ｅを容易に回収し得る態様として本実施形態では、加工後の魚卵ｅを回収する回収装置たる選別回収部７を有している態様を適用している。
【００３５】
そして、高い効率にて魚卵ｅを処理し得るための構成として本実施形態では、不要物分離部３を、魚卵ｅよりも大きな不要物を除去すべく魚卵ｅを通過させ得る第一の網装置３１と、魚卵ｅよりも小さな不要物を除去すべく魚卵ｅを支持し且つ振動搬送する第二の網装置３２とを有した態様としている。
【００３６】
また、加工装置の作動効率を更に向上させるために本実施形態では、第二の網装置３２を通過した飼育水ｗを加工装置には導入させない構成としている。
【００３７】
そして、不要物分離部３を通過した魚卵ｅを第二の網装置３２上で好適に振動搬送できるようにするために本実施形態では、魚卵ｅを搬送方向へ付勢すべく浄水ｃｗを噴射する浄水噴射手段３３を備えた構成としている。
【００３８】
更に、魚卵ｅへの処理をより高い効率にて行い得るようにするために本実施形態では、加工用水槽８を、加工前の魚卵ｅを収容する加工前領域８１と、所定の加工処理が施された魚卵ｅを収容するための加工後領域８２とに分別されている構成としている。
【００３９】
以上、本発明の実施形態について説明したが、本発明は上記実施形態の構成に限られるものではない。上記実施形態では魚卵に対し遺伝子を導入するための態様を開示したが勿論、魚卵に対して、遺伝子に限らず、ヒトがん細胞などの細胞や、薬、薬候補物質、毒性物質などの化学物質や、調味料、着色料などの食品添加物といった、別異の物質を注入する態様であることを妨げない。また上記実施形態では魚卵としてゼブラフィッシュの卵を適用したが勿論、別の魚類の卵を用いてもよい。また個々の構成要素の具体的な配置は加工用水槽内の具体的な水の流れといった詳細な態様やその他の構成も、本発明の趣旨を逸脱しない範囲で種々変形が可能である。
【符号の説明】
【００４０】
１・・・遺伝子注入装置
２・・・採卵搬送部
３・・・不要物分離部
４・・・振動搬送部
５・・・遺伝子注入部
６・・・整列搬送部
７・・・選別回収部
８・・・加工用水槽
Ｂ・・・飼育水槽
ｅ・・・魚卵
ｃｗ・・・浄水
ｗ・・・飼育水
【図１】
2019013198.tif 000003
【図２】
2019013198.tif 000004
【図３】
2019013198.tif 000005
【図４】
2019013198.tif 000006
【図５】
2019013198.tif 000007